(57)【要約】【課題】  表示画面が地表面に対してほぼ水平になるように映像表示装置が設置されても、ユーザが見やすいように表示映像の向きを制御することが可能な映像表示装置を提供する。【解決手段】  検出部１３は矢印ａ方向に存在する物体までの距離を示す第１検出信号を出力し、検出部１４は矢印ｂ方向に存在する物体までの距離を示す第２検出信号を出力し、検出部１５は矢印ｃ方向に存在する物体までの距離を示す第３検出信号を出力し、検出部１６は矢印ｄ方向に存在する物体までの距離を示す第４検出信号を出力する。制御回路は、第１検出信号、第２検出信号、第３検出信号および第４検出信号の中で最も短い距離を示す検出信号を選択し、その選択した検出信号を出力した検出部に対応する辺に映像の底部がくるように、表示画面１１に表示される映像の向きを制御する。【選択図】      図１
2005309142.tif 000002
【特許請求の範囲】
【請求項１】
映像を表示する表示画面を備える表示部と、
前記表示画面の外周に沿って設けられた外枠部と、
前記外枠部に複数設けられ、前記外枠部の外側に位置する物体に応じた検出信号をそれぞれ出力する検出部と、
各検出部から出力される検出信号に基づいて、前記表示画面に表示される映像を制御する制御部とを含む映像表示装置。
【請求項２】
請求項１に記載の映像表示装置において、
前記表示画面は、長方形であり、
前記複数の検出部は、前記外枠部上の、前記表示画面の４つの辺のいずれかに近接する箇所のそれぞれに設けられた４つの検出部である、映像表示装置。
【請求項３】
請求項１に記載の映像表示装置において、
前記表示画面は、長方形であり、
前記複数の検出部は、前記外枠部上の、前記表示画面の４つの辺の中の３つの辺のいずれかに近接する箇所のそれぞれに設けられた３つの検出部である、映像表示装置。
【請求項４】
請求項１に記載の映像表示装置において、
前記表示画面は、長方形であり、
前記複数の検出部は、前記外枠部上の、前記表示画面の４つの辺の中の２つの辺のいずれかに近接する箇所のそれぞれに設けられた２つの検出部である、映像表示装置。
【請求項５】
請求項１ないし４のいずれか１項に記載の映像表示装置において、
前記制御部は、前記複数の検出部から出力される検出信号に基づいて、前記表示画面を画定する辺の中からユーザが近接している辺を検出し、その検出した辺に映像の底部がくるように前記映像の向きを制御する、映像表示装置
【請求項６】
請求項１ないし５のいずれか１項に記載の映像表示装置において、
前記各検出部は、物体から放射される放射熱量を検出し、その検出した放射熱量を示す信号を前記検出信号として出力する放射熱検出センサーである、映像表示装置。
【請求項７】
請求項１ないし５のいずれか１項に記載の映像表示装置において、
前記各検出部は、距離検出センサーである、映像信号表示装置。
【請求項８】
請求項１ないし７のいずれか１項に記載の映像表示装置において、
外部装置から有線または無線で供給される映像信号を受け付ける映像信号入力部をさらに含み、
前記制御部は、前記映像信号入力部によって受け付けられた映像信号によって示される画像の前記表示画面上での向きを制御するように、前記各検出部から出力される検出信号に基づいて該映像信号を変換し、その変換した映像信号によって示される映像を前記表示画面に表示させる、映像表示装置。
【請求項９】
請求項８に記載の映像表示装置において、
前記映像信号入力部によって受け付けられた映像信号を保存する蓄積手段をさらに含む、映像表示装置。
【請求項１０】
請求項９に記載の映像表示装置において、
前記蓄積手段が取り外し可能に構成されている、映像信号表示装置。
【請求項１１】
請求項１ないし１０のいずれか１項に記載の映像信号表示装置において、
前記映像を示す映像信号を生成する生成部をさらに含み、
前記制御部は、前記生成部によって生成された映像信号によって示される画像の前記表示画面上での向きを制御するように、前記生成部によって生成された映像信号を、前記各検出部から出力される検出信号に基づいて変換し、その変換した映像信号によって示される映像を前記表示画面に表示させる、映像表示装置。
【発明の詳細な説明】
【技術分野】
【０００１】
本発明は、映像表示装置に関し、特には、表示画面に表示する映像の向きを変更（回転）することが可能な映像表示装置に関する。
【背景技術】
【０００２】
従来、例えば、表示画面が回転しても表示画面の鉛直下方の位置に表示映像の底部が表示されるように、表示画面上の表示映像の向きを制御する映像表示装置が知られている。
【０００３】
特許文献１（特開２００３−６０９４０号公報）および特許文献２（特開２００３−２７４３６６号公報）には、電子カメラの姿勢をカメラ姿勢検知部にて検出し、その検出した電子カメラの姿勢をその電子カメラによって撮影された映像とともに記録し、その記録された映像を表示画面に再生する際、その映像とともに記録されている電子カメラの姿勢に基づいて表示画面に表示される映像の向きを制御する電子カメラが記載されている。なお、カメラ姿勢検知部としては、重力センサーが用いられている（特許文献２参照）。
【０００４】
特許文献３（特開平９−３７１８７号公報）には、映像表示装置自体の姿勢ではなく、映像表示装置の表示映像を見ているユーザの姿勢を赤外線センサーを利用して検出し、ユーザが寝そべっているときには、表示画面上の表示映像の向きを９０度回転させる映像表示装置が記載されている。なお、赤外線センサーは、表示画面の前方の領域を検出領域としている。
【０００５】
なお、特許文献４（特許第３０１３８０８号公報）には、映像信号によって示される映像を圧縮したり拡大したりする技術が記載されている。
【特許文献１】特開２００３−６０９４０号公報
【特許文献２】特開２００３−２７４３６６号公報
【特許文献３】特開平９−３７１８７号公報
【特許文献４】特許第３０１３８０８号公報
【発明の開示】
【発明が解決しようとする課題】
【０００６】
特許文献１および特許文献２に記載のように、重力センサーによって映像表示装置の姿勢が検出される場合、表示画面が地表面に対してほぼ水平になるように映像表示装置が設置されると、重力センサーは、表示画面を見ているユーザの位置を常に正確に検出することができなくなってしまう。このため、表示画面が地表面に対してほぼ水平になるように映像表示装置が設置されると、ユーザが見やすいように表示映像の向きを回転することができなくなってしまう。
【０００７】
また、重力センサーによって映像表示装置の姿勢が検出される場合、宇宙ステーション等の無重力環境では、映像表示装置の姿勢を検出することができなくなってしまう。
【０００８】
また、特許文献３に記載の映像表示装置は以下のような問題を生じる。映像表示装置に含まれる赤外線センサーの検出領域が表示画面の前方の領域であるため、表示画面が地表面に対してほぼ水平になるように映像表示装置が設置され、ユーザが表示画面の前方から外れた位置で表示画面を見ている場合、赤外線センサーは、表示画面を見ているユーザの位置を常に正確に検出することができなくなってしまう。
【０００９】
図５は、映像表示装置１０１の表示画面１０２が地表面に対してほぼ水平になるように映像表示装置１０１が設置され、ユーザ２０１が表示画面１０２の前方から外れた位置（表示画面１０２の横の位置）で表示画面１０２を見ている場合の一例を示した説明図である。
【００１０】
図５に示した状態では、表示画面１０２の前方の領域を検出領域とする赤外線センサー１０３は、ユーザ２０１を検出することができず、このため、ユーザ２０１が見やすいように映像の向きを制御することができない。
【００１１】
本発明の目的は、表示画面が地表面に対してほぼ水平になるように映像表示装置が設置されても、ユーザが見やすいように映像の向きを調整することが可能な映像表示装置を提供することである。
【課題を解決するための手段】
【００１２】
上記の目的を達成するために、本発明の映像表示装置は、映像を表示する表示画面を備える表示部と、前記表示画面の外周に沿って設けられた外枠部と、前記外枠部に複数設けられ、前記外枠部の外側に位置する物体に応じた検出信号をそれぞれ出力する検出部と、各検出部から出力される検出信号に基づいて、前記表示画面に表示される映像を制御する制御部とを含む。
【００１３】
上記の発明によれば、表示画面に表示される映像は、各検出部から出力される検出信号に基づいて制御される。各検出部は、外枠部の外側に位置する物体に応じた検出信号をそれぞれ出力する。このため、表示画面の横に存在する物体を検出でき、その検出結果に基づいて表示画面に表示される映像を変更することが可能となる。
【００１４】
よって、例えば、表示画面が地表面に対してほぼ水平になるように映像表示装置が設置されても、その表示画面を見るユーザが見やすい映像を自動的に表示画面に表示させることが可能となる。
【００１５】
また、上記映像表示装置において、前記表示画面は、長方形であり、前記複数の検出部は、前記外枠部上の、前記表示画面の４つの辺のいずれかに近接する箇所のそれぞれに設けられた４つの検出部であることが望ましい。
【００１６】
上記の発明によれば、例えば、４つの検出部の検出信号の比較結果に基づいて、表示画面に表示される映像を制御することが可能となる。
【００１７】
また、上記映像表示装置において、前記表示画面は、長方形であり、前記複数の検出部は、前記外枠部上の、前記表示画面の４つの辺の中の３つの辺のいずれかに近接する箇所のそれぞれに設けられた３つの検出部であることが望ましい。
【００１８】
上記の発明によれば、４つの検出部を用いた場合に比べて構成の簡略化が図れる。
【００１９】
また、上記映像表示装置において、前記表示画面は、長方形であり、前記複数の検出部は、前記外枠部上の、前記表示画面の４つの辺の中の２つの辺のいずれかに近接する箇所のそれぞれに設けられた２つの検出部であることが望ましい。
【００２０】
上記の発明によれば、３つ以上の検出部を用いた場合に比べて構成の簡略化が図れる。
【００２１】
また、上記映像表示装置において、前記制御部は、前記複数の検出部から出力される検出信号に基づいて、前記表示画面を画定する辺の中からユーザが近接している辺を検出し、その検出した辺に映像の底部がくるように前記映像の向きを制御することが望ましい。
【００２２】
上記の発明によれば、表示画面がいかなる向きになるように映像表示装置が設置されても、その表示画面を見るユーザが見やすい映像を自動的に表示画面に表示させることが可能となる。
【００２３】
また、上記映像表示装置において、前記各検出部は、物体から放射される放射熱量を検出し、その検出した放射熱量を示す信号を前記検出信号として出力する放射熱検出センサーであることが望ましい。
【００２４】
また、上記映像表示装置において、前記各検出部は、距離検出センサーであることが望ましい。
【００２５】
また、上記映像表示装置において、外部装置から有線または無線で供給される映像信号を受け付ける映像信号入力部をさらに含み、前記制御部は、前記映像信号入力部によって受け付けられた映像信号によって示される画像の前記表示画面上での向きを制御するように、前記各検出部から出力される検出信号に基づいて該映像信号を変換し、その変換した映像信号によって示される映像を前記表示画面に表示させることが望ましい。
【００２６】
また、上記映像表示装置において、前記映像信号入力部によって受け付けられた映像信号を保存する蓄積手段をさらに含むことが望ましい。
【００２７】
また、上記映像表示装置において、前記蓄積手段が取り外し可能に構成されていることが望ましい。
【００２８】
また、上記映像信号表示装置において、前記映像を示す映像信号を生成する生成部をさらに含み、前記制御部は、前記生成部によって生成された映像信号によって示される画像の前記表示画面上での向きを制御するように、前記生成部によって生成された映像信号を、前記各検出部から出力される検出信号に基づいて変換し、その変換した映像信号によって示される映像を前記表示画面に表示させることが望ましい。
【発明の効果】
【００２９】
本発明によれば、表示画面の横に存在する物体を検出可能となり、その検出結果に基づいて表示画面に表示される映像の向きを変更することが可能となる。よって、例えば、表示画面が地表面に対してほぼ水平になるように映像表示装置が設置されても、その表示画面を見るユーザが見やすい映像を自動的に表示画面に表示させることが可能となる。
【発明を実施するための最良の形態】
【００３０】
次に、本発明の実施の形態について図面を参照して詳細に説明する。
【００３１】
図１は、本発明の一実施例の映像表示装置を示した平面図である。さらに言えば、図１は、映像表示装置１を机（不図示）の上に設置し、ユーザ２が映像表示装置１に表示された映像を見ている状態を上から見た状態を示した平面図である。
【００３２】
図１において、映像表示装置１は、表示画面１１と、外枠部１２と、検出部１３と、検出部１４と、検出部１５と、検出部１６とを含む。
【００３３】
映像表示装置１は、例えば、液晶ディスプレイ（ＬＣＤ）またはプラズマディスプレイ（ＰＤＰ）等のフラットパネルを利用した薄型で可搬性に富む映像表示装置であることが望ましい。薄型で可搬性に富む映像表示装置は、例えば、ノート型パソコンの表示装置または電子書籍表示装置に用いられる。
【００３４】
なお、薄型で可搬性に富む映像表示装置の利用の形態はいろいろと考えられる。例えば、図１に示すように、薄型で可搬性に富む映像表示装置の表示画面が地表面と略平行となるように、映像表示装置が机の上に置かれて使用される利用形態が考えられる。
【００３５】
なお、映像表示装置１は、フラットパネルを利用した薄型で可搬性に富む映像表示装置に限るものではない。
【００３６】
表示画面１１は、第１の辺としての辺１１ａと、第２の辺としての辺１１ｂと、第３の辺としての辺１１ｃおよび第４の辺としての辺１１ｄとを含む画面であり、映像信号によって示される映像を表示する。本実施例では、表示画面１１の形状を長方形とする。具体的には、辺１１ａと辺１１ｃとが平行でかつ長さが等しく、辺１１ｂと辺１１ｄとが平行でかつ長さが等しく、辺１１ａと辺１１ｂとの角度が９０度となっている。なお、表示画面１１の形状は長方形に限らず適宜変更可能である。
【００３７】
外枠部１２は、表示画面１１の外周に設けられている。
【００３８】
第１検出部としての検出部１３は、例えば、赤外線センサー等の放射熱検出センサー、または超音波を発射してからその超音波の反射波が戻ってくるまでの時間に基づいて物体までの距離を測定する距離センサーである。
【００３９】
なお、距離センサーは、超音波を利用したセンサーに限るものではなく適宜変更可能でり、物体までの距離を示す距離信号（第１検出信号）を出力するものであればよい。
【００４０】
また、検出部１３として用いられる放射熱検出センサーは、検出する放射熱量が高くなるほど、その検出した放射熱量を示す信号としての出力電圧が高くなる特性を有するセンサーであることが望ましい。この場合、物体としての人間が検出部１３に近づくほど、検出部１３の出力電圧（第１検出信号）は高くなる。、
検出部１３は、辺１１ａと近接する外枠部１２上の第１部分１２ａに設けられている。検出部１３は、外枠部１２の外側でかつ第１部分１２ａの周囲（例えば、図１に示した矢印ａ方向）を検出領域としている。検出部１３は自己の検出領域に存在する物体に応じた第１検出信号を出力する。なお、検出部１３は辺１１ａに対応づけされている。
【００４１】
第２検出部としての検出部１４は、例えば、赤外線センサー等の放射熱検出センサー、または超音波を発射してからその超音波の反射波が戻ってくるまでの時間に基づいて物体までの距離を測定する距離センサーである。
【００４２】
なお、距離センサーは、超音波を利用したセンサーに限るものではなく適宜変更可能であり、物体までの距離を示す距離信号（第２検出信号）を出力するものであればよい。
【００４３】
また、検出部１４として用いられる放射熱検出センサーは、検出する放射熱量が高くなるほど、その検出した放射熱量を示す信号としての出力電圧が高くなる特性を有するセンサーであることが望ましい。この場合、物体としての人間が検出部１４に近づくほど、検出部１４の出力電圧（第２検出信号）は高くなる。、
検出部１４は、辺１１ｂと近接する外枠部１２上の第２部分１２ｂに設けられている。検出部１４は、外枠部１２の外側でかつ第２部分１２ｂの周囲（例えば、図１に示した矢印ｂ方向）を検出領域としている。検出部１４は自己の検出領域に存在する物体に応じた第２検出信号を出力する。なお、検出部１４は辺１１ｂに対応づけされている。
【００４４】
第３検出部としての検出部１５は、例えば、赤外線センサー等の放射熱検出センサー、または超音波を発射してからその超音波の反射波が戻ってくるまでの時間に基づいて物体までの距離を測定する距離センサーである。
【００４５】
なお、距離センサーは、超音波を利用したセンサーに限るものではなく適宜変更可能であり、物体までの距離を示す距離信号（第３検出信号）を出力するものであればよい。
【００４６】
また、検出部１５として用いられる放射熱検出センサーは、検出する放射熱量が高くなるほど、その検出した放射熱量を示す信号としての出力電圧が高くなる特性を有するセンサーであることが望ましい。この場合、物体としての人間が検出部１５に近づくほど、検出部１５の出力電圧（第３検出信号）は高くなる。、
検出部１５は、辺１１ｃと近接する外枠部１２上の第３部分１２ｃに設けられている。検出部１５は、外枠部１２の外側でかつ第３部分１２ｃの周囲（例えば、図１に示した矢印ｃ方向）を検出領域としている。検出部１５は自己の検出領域に存在する物体に応じた第３検出信号を出力する。なお、検出部１５は辺１１ｃに対応づけされている。
【００４７】
第４検出部としての検出部１６は、例えば、赤外線センサー等の放射熱検出センサー、または超音波を発射してからその超音波の反射波が戻ってくるまでの時間に基づいて物体までの距離を測定する距離センサーである。
【００４８】
なお、距離センサーは、超音波を利用したセンサーに限るものではなく適宜変更可能であり、物体までの距離を示す距離信号（第４検出信号）を出力するものであればよい。
【００４９】
また、検出部１６として用いられる放射熱検出センサーは、検出する放射熱量が高くなるほど、その検出した放射熱量を示す信号としての出力電圧が高くなる特性を有するセンサーであることが望ましい。この場合、物体としての人間が検出部１６に近づくほど、検出部１６の出力電圧（第４検出信号）は高くなる。、
検出部１６は、辺１１ｄと近接する外枠部１２上の第４部分１２ｄに設けられている。検出部１６は、外枠部１２の外側でかつ第４部分１２ｄの周囲（例えば、図１に示した矢印ｄ方向）を検出領域としている。検出部１４は自己の検出領域に存在する物体に応じた第４検出信号を出力する。なお、検出部１６は辺１１ｄに対応づけされている。
【００５０】
なお、検出部１３と検出部１４と検出部１５および検出部１６とは、同じ種類の検出部であることが望ましい。
【００５１】
図２は、図１に示した映像表示装置１の一例を示すブロック図である。なお、図２において、図１に示したものと同一構成のものには同一符号を付してある。
【００５２】
図２において、映像表示装置１は、検出部１３、検出部１４と、検出部１５と、検出部１６と、映像信号入力部１７と、操作部１８と、蓄積部１９と、表示部２０と、メモリ２１と、制御回路２２とを含む。
【００５３】
映像信号入力部１７は、映像を示す映像信号を受け付ける。例えば、映像信号入力部１７は、アンテナ（不図示）を含み、外部の無線送信装置から無線送信された映像信号をアンテナを介して受信する。また、映像信号入力部１７は、入力端子（不図示）を含み、その入力端子に映像信号を提供するケーブル（有線）が接続されることによって、パーソナルコンピュータ等の外部装置から有線で供給される映像信号を受け付ける。
【００５４】
操作部１８は、ユーザによって操作され、ユーザの操作によって示される種々の入力を受け付ける。
【００５５】
ＤＶＤ（Digital Versatile Disk）等の記録媒体である蓄積部１９は、映像信号入力部１７によって受け付けられた映像信号を保存する。なお、蓄積部１９は、映像表示装置１から取り外すことが可能であることが望ましい。
【００５６】
表示部２０は、図１に示した表示画面１１を有する。表示部２０は、制御回路２２から供給される映像信号によって示される映像を表示画面１１に表示する。
【００５７】
メモリ２１は、コンピュータによって読み取り可能な記録媒体である。メモリ２１には、映像表示装置１の動作を規定するプログラムが記録されている。
【００５８】
コンピュータであるＣＰＵを含む制御回路２２は、メモリ２１に記録されているプログラムを読み取り、その読み取ったプログラムを実行することによって種々の動作を行う。
【００５９】
例えば、制御回路２２は、パーソナルコンピュータまたは電子手帳等のように、操作部１８によって受け付けられたユーザからの入力に基づき、映像を示す映像信号を生成する。なお、制御回路２２は、制御回路２２によって生成された映像信号を蓄積部１９に格納してもよい。
【００６０】
また、制御回路２２は、映像信号入力部１７によって受け付けられた映像信号を蓄積部１９に格納してもよい。なお、制御回路２２は、蓄積指示が入力されるように操作部１８がユーザによって操作された際に、映像信号入力部１７によって受け付けられた映像信号を蓄積部１９に格納することが望ましい。
【００６１】
また、制御回路２２は、検出部１３から出力される第１検出信号と、検出部１４から出力される第２検出信号と、検出部１５から出力される第３検出信号と、検出部１６から出力される第４検出信号とに基づいて、表示部２０の表示画面１１に表示される映像の向きを制御する。
【００６２】
具体的には、制御回路２２は、操作部１８によって受け付けられたユーザからの入力に基づいて生成された映像信号、または、映像信号入力部１７によって受け付けられた映像信号、または、蓄積部１９に保存された映像信号を、第１検出信号、第２検出信号、第３検出信号および第４検出信号に基づいて、表示部２０の表示画面１１に表示される映像の向きが変更されるように変換する。制御回路２２は、その変換した映像信号によって示される映像を表示部２０の表示画面１１に表示させる。
【００６３】
なお、制御回路２２は、第１検出信号、第２検出信号、第３検出信号および第４検出信号の中から所定の条件を満たす検出信号を選択し、例えば、検出部１３〜１６として放射熱検出センサーが用いられた場合は最も高い出力電圧を示す検出信号を選択し、また、検出部として１３〜１６として距離検出センサーが用いられた場合には最も短い距離を示す検出信号を選択し、その選択した検出信号を出力した検出部に対応する辺に映像の底部がくるように映像の向きを制御することが望ましい。
【００６４】
次に、動作を説明する。
【００６５】
制御回路２２は、例えば、映像表示装置１の電源がオンになっているときに所定の時間間隔で、検出部１３と検出部１４と検出部１５および検出部１６とを動作させる。なお、制御回路２２は、検出開始指示が入力されるように操作部１８がユーザによって操作された際に、検出部１３と検出部１４と検出部１５および検出部１６とを動作させてもよい。
【００６６】
検出部１３は動作を開始すると、自己の検出領域に存在する物体に応じた第１検出信号を制御回路２２に供給する。また、検出部１４は動作を開始すると、自己の検出領域に存在する物体に応じた第２検出信号を制御回路２２に供給する。また、検出部１５は動作を開始すると、自己の検出領域に存在する物体に応じた第３検出信号を制御回路２２に供給する。また、検出部１６は動作を開始すると、自己の検出領域に存在する物体に応じた第４検出信号を制御回路２２に供給する。
【００６７】
制御回路２２は、検出部１３から供給された第１検出信号と、検出部１４から供給された第２検出信号、検出部１５から供給された第３検出信号および検出部１６から供給された第４検出信号とを比較し、それら第１検出信号、第２検出信号、第３検出信号および第４検出信号の中から所定の条件を満たす検出信号を選択し、例えば、検出部１３〜１６として放射熱検出センサーが用いられた場合は最も高い出力電圧を示す検出信号を選択し、また、検出部として１３〜１６として距離検出センサーが用いられた場合には最も短い距離を示す検出信号を選択する。
【００６８】
例えば、図１に示した状態では、制御回路２２は、第１検出信号と第２検出信号と第３検出信号と第４検出信号の中から第３検出信号を選択する。
【００６９】
制御回路２２は、その選択した検出信号を出力した検出部に対応する辺に映像の底部がくるように、表示部２０に供給する映像信号を変換する。なお、表示部２０に供給される映像信号は、映像信号入力部１７によって受け付けられた映像信号でもよいし、蓄積部１９に蓄積されている映像信号でもよいし、制御回路２２によって生成された映像信号でもよい。
【００７０】
例えば、図１に示した状態の場合、制御回路２２は、第３検出信号を出力した検出部１５に対応する辺１１ｃに映像の底部がくるように映像を表示する（図１参照）。
【００７１】
なお、本実施例では、制御回路２２は、映像信号によって示される映像全体（例えば、１ページ分の映像全体）が表示画面１１に十分な大きさで収まるように、例えば、映像信号によって示される映像全体（例えば、１ページ分の映像全体）が、表示画面１１に収まる画像の大きさの中で最大の画像となるように、映像信号によって示される映像を拡大または縮小する。なお、制御回路２２は、映像信号の圧縮および拡大を行う際、例えば特許文献３に記載された技術を使用する。
【００７２】
図１に示した状態では、制御回路２２は、縦長の文書（映像）が横長の表示画面１１内に入るように、縦長の文書（映像）を圧縮し、表示部２０にその圧縮した文書（映像）を表示させる。このため、図１に示した表示画面１１には、余白部分１１ｅおよび余白部分１１ｆが表示される。
【００７３】
図３は、ユーザ２が、図１に示した状態で閲覧している映像が縦長の文書（例えばカタログ等）であると認識し、映像表示装置１を反時計回りに９０度回転させた状態を示した平面図である。なお、図３において、図１に示したものと同一構成のものには同一符号を付してある。
【００７４】
図３に示した状態で、制御回路２２が、検出部１３と検出部１４と検出部１５および検出部１６とを動作させると、検出部１３と検出部１４と検出部１５および検出部１６は、第１検出信号と第２検出信号と第３検出信号および第４検出信号を制御回路２２に供給する。
【００７５】
図３に示した状態では、制御回路２２は、第１検出信号と第２検出信号と第３検出信号および第４検出信号の中から第２検出信号を選択する。制御回路２２は、その選択した第２検出信号を出力した検出部１４に対応する辺ｂに映像の底部がくるように、表示部２０に供給する映像信号を変換する。このため、図３に示した映像は、図１に示した映像を時計回りに９０度回転した映像となる（図３参照）。
【００７６】
図３に示した状態では、縦長の映像が縦長の表示画面１１に表示されるので、図１に示した状態の映像より大きい映像が表示される。このため、図３に示した状態では、図１に示した状態よりも視認性に優れた映像をユーザに提供することが可能となる。
【００７７】
なお、検出部１３〜１６として距離検出センサーが用いられた場合、表示画面１１が地表面に対して略垂直となるように、映像表示装置１が台または床の上に設置された際、映像表示装置１からその台または床までの距離を検出する検出部の検出信号によって示される距離が、他の検出信号によって示される距離より短くなる。
【００７８】
このため、検出部１３〜１６として距離検出センサーが用いられた場合、表示画面１１が地表面に対して略垂直となるように映像表示装置１が台または床の上に設置された際には、表示画面１１の鉛直下方に存在する辺に映像の底部がくるため、この場合も、ユーザにとって見やすい映像を提供することができる。
【００７９】
本実施例によれば、表示画面１１の横に存在しているユーザを検出することができ、その検出結果に基づいて、表示画面１１に表示される映像の向きが制御される。このため、例えば、表示画面１１が地表面に対してほぼ水平になるように映像表示装置１が設置されても、その表示画面１１を見るユーザが見やすい画像を自動的に表示画面１１に表示させることが可能となる。
【００８０】
特に、制御回路２２が、第１検出信号、第２検出信号、第３検出信号および第４検出信号に基づいて、表示画面１１を画定する辺の中からユーザが近接している辺を検出し、その検出した辺に映像の底部がくるように、表示画面１１上の映像の向きを制御すれば、表示画面１１がどのような向きになるように映像表示装置１が設置されても、その表示画面１１を見るユーザが見やすい映像（ユーザが見る向きに応じた向きの映像）を自動的に表示画面に表示させることができる。
【００８１】
また、本実施例は、映像表示装置１がフラットパネルを利用した薄型で可搬性に富む映像表示装置である場合に特に有効となる。その理由は、薄型で可搬性に富む映像表示装置、例えば、ＬＣＤまたはＰＤＰのフラットパネルを利用した映像表示装置は、その表示画面１１が地表面に対してほぼ水平に設置されて使用されるケースが十分予想され、そのように使用された場合にも、その表示画面１１を見るユーザにとって見やすい映像を自動的に表示画面に表示させることができるからである。
【００８２】
以上説明した実施例において、図示した構成は単なる一例であって、本発明はその構成に限定されるものではない。
【００８３】
例えば、上記の実施例では、外枠部１２に４つの検出部を設けたが、外枠部１２に設ける検出部の数は４つに限らず適宜変更可能である。例えば、表示画面１１の１つの辺に近接する箇所に複数の検出部を設けてもよい。
【００８４】
また、外枠部１２に３つの検出部を設け、制御回路２２がその３つの検出部の検出信号に基づいて表示画面に表示される映像の向きを制御してもよい。
【００８５】
例えば、図１に示した実施例において、検出部１３と検出部１４と検出部１５と検出部１６の中のいずれか１つを省略する。制御回路２２は、外枠部１２に設けられた３つの検出部が出力する３つの検出信号の中で最も距離が短いことを示す信号を検出した検出部に対応する辺に映像の底部がくるように映像の向きを制御する。さらに、制御回路２２は、外枠部１２に設けられた３つの検出部が出力する３つの検出信号が示す距離のいずれもが所定の距離以上の距離を示す場合、省略された検出部に対応する辺に映像の底部がくるように映像の向きを制御する。
【００８６】
上記の場合、図１に示した実施例に比べて検出部の数を少なくできるので、構成の簡略化が図れる。
【００８７】
また、外枠部１２に２つの検出部を設け、制御回路２２がその２つの検出部の検出信号に基づいて表示画面に表示される映像の向きを制御してもよい。
【００８８】
図４は、外枠部１２に２つの検出部を設けた場合の映像表示装置の一例を示した平面図である。なお、図４において、図１に示したものと同一構成のものには同一符号を付してある。
【００８９】
図４において、外枠部１２には、検出部１４ａと検出部１６ａとが設けられている。
【００９０】
検出部１４ａは、辺１１ｂに近接する外枠部１２の中で辺１１ａに近い位置に設けられている。検出部１６ａは、辺１１ｄに近接する外枠部１２の中で辺１１ｃに近い位置に設けられている。なお、検出部１４ａおよび検出部１６ａとして、すべての領域から放射される赤外線を検出可能な赤外線センサーが用いられる。
【００９１】
制御回路２２は、検出部１４ａから出力される検出信号と検出部１６ａから出力される検出信号とに基づいて、表示画面１１の表示される映像の向きを制御する。
【００９２】
例えば、制御回路２２は、検出部１４ａから出力される検出信号（出力電圧）が、検出部１６ａから出力される検出信号（出力電圧）より大きい場合、ユーザが辺１１ａまたは辺１１ｂに近接する位置に存在すると判断する。
【００９３】
続いて、制御回路２２は、検出部１４ａから出力される検出信号（出力電圧）と検出部１６ａから出力される検出信号（出力電圧）との差を検出し、その差が予め設定された所定値を越えている場合、ユーザが辺１１ｂの近傍にいると判断し、その差が予め設定された所定値を越えていない場合、ユーザが辺１１ａの近傍にいると判断する。
【００９４】
制御回路２２は、検出部１４ａから出力される検出信号（出力電圧）が、検出部１６ａから出力される検出信号（出力電圧）より小さい場合、ユーザが辺１１ｃまたは辺１１ｄに近接する位置に存在すると判断する。
【００９５】
続いて、制御回路２２は、検出部１４ａから出力される検出信号（出力電圧）と検出部１６ａから出力される検出信号（出力電圧）との差を検出し、その差が予め設定された所定値を越えている場合、ユーザが辺１１ｄの近傍にいると判断し、その差が予め設定された所定値を越えていない場合、ユーザが辺１１ｃの近傍にいると判断する。
【００９６】
制御回路２２は、ユーザが近傍にいると判断した辺に映像の底部がくるように映像の向きを設定する。
【００９７】
図４に示した例では、図１に示した実施例に比べて検出部の数を少なくできるので、構成の簡略化が図れる。
【００９８】
なお、検出部１４ａと検出部１６ａの外枠部１２上の設置位置は上記に限るものではなく、ユーザが辺１１ａ、辺１１ｂ、辺１１ｃまたは辺１１ｄの近傍に存在する場合に、検出部１４ａと検出部１６ａのそれぞれの出力が、それぞれ異なる出力電圧となるように配置されていれば適宜変更可能である
【図面の簡単な説明】
【００９９】
【図１】本発明の一実施例の映像表示装置を示した平面図である。
【図２】本発明の一実施例の映像表示装置を示したブロック図である。
【図３】本発明の一実施例の映像表示装置を示した平面図である。
【図４】本発明の他の実施例の映像表示装置を示した平面図である。
【図５】従来の映像表示装置を示した平面図である。
【符号の説明】
【０１００】
１      映像表示装置
１１    表示画面
１１ａ  辺
１１ｂ  辺
１１ｃ  辺
１１ｄ  辺
１２    外枠部
１２ａ  第１部分
１２ｂ  第２部分
１２ｃ  第３部分
１２ｄ  第４部分
１３    検出部
１４    検出部
１５    検出部
１６    検出部
１７    映像信号入力部
１８    操作部
１９    蓄積部
２０    表示部
２１    メモリ
２２    制御回路
２      ユーザ
【図１】
2005309142.tif 000003
【図２】
2005309142.tif 000004
【図３】
2005309142.tif 000005
【図４】
2005309142.tif 000006
【図５】
2005309142.tif 000007